(57)【特許請求の範囲】
【請求項１】
上部に開口部が設けられ、家庭用薄紙を内部に収納する容器本体と、
前記容器本体の第１面部側に回動可能に備えられ、前記開口部を開閉自在とする蓋部と、
前記容器本体と前記蓋部のいずれか一方に備えられ、前記容器本体と前記蓋部を離間させる方向に付勢する弾性部材と、を備える家庭用薄紙収納容器であって、
前記容器本体は前記第１面部と対向する第２面部側に、前記蓋部が有する係止部と係合する係合部を有し、
前記容器本体には、前記係止部と前記係合部の係合を解除するための係合解除部材と、挟持部とが備えられ、
前記係合解除部材と前記挟持部を挟持することによって、前記係合解除部材が前記係止部と前記係合部の係合を解除することを特徴とする家庭用薄紙収納容器。
【請求項２】
前記係合解除部材は、前記挟持部に揺動可能に備えられており、前記係合解除部材と前記挟持部を挟持した際に、前記係合解除部材が揺動することに伴い前記係止部と前記係合部を離間させて、前記係止部と前記係合部の係合を解除することを特徴とする請求項１に記載の家庭用薄紙収納容器。
【請求項３】
前記容器本体と前記蓋部は、前記容器本体側の容器ヒンジ部と前記蓋部側の蓋ヒンジ部とが連結されてなるヒンジ機構部を介して回動可能に取り付けらており、
前記容器ヒンジ部と前記蓋ヒンジ部のいずれか一方は、前記蓋部が前記容器本体から離間する方向に回動する際に、他方に摺接して摩擦力を付与する摺接部を有することを特徴とする請求項１又は２に記載の家庭用薄紙収納容器。
【請求項４】
前記容器ヒンジ部と前記蓋ヒンジ部のいずれか一方は、前記蓋部が前記容器本体から所定量回動した後に他方に接触して、前記蓋部の回動が止まるまで摺接することを特徴とする請求項３に記載の家庭用薄紙収納容器。
【請求項５】
前記容器本体の前記開口部の周縁部には、前記容器本体に対し前記蓋部が閉じられた際に、前記蓋部の周縁部が嵌入する溝部が形成されており、
前記容器本体の周縁部の溝部に、前記蓋部の周縁部が嵌入した際に、前記蓋部の周縁部における当該容器の内側と、前記容器本体の周縁部との間をその周縁部全周に亘って密着させる第１環状突部が、前記容器本体と前記蓋部のいずれか一方に備えられ、前記蓋部の周縁部における当該容器の外側と、前記容器本体の周縁部との間をその周縁部全周に亘って密着させる第２環状突部が、前記容器本体と前記蓋部のいずれか一方に備えられていることを特徴とする請求項１〜４のいずれか一項に記載の家庭用薄紙収納容器。
【請求項６】
前記第１環状突部と前記第２環状突部とは、前記容器本体の周縁部の溝部に前記蓋部の周縁部が嵌入した際に、前記蓋部を挟んで対向する位置が互いにずれていることを特徴とする請求項５に記載の家庭用薄紙収納容器。
【請求項７】
前記蓋部の周縁部には、前記容器本体に対し前記蓋部が閉じられた際に、前記容器本体の前記開口部の周縁部が嵌入する溝部が形成されており、
前記蓋部の周縁部の溝部に、前記容器本体の周縁部が嵌入した際に、前記容器本体の周縁部における当該容器の内側と、前記蓋部の周縁部との間をその周縁部全周に亘って密着させる第１環状突部が、前記容器本体と前記蓋部のいずれか一方に備えられ、前記容器本体の周縁部における当該容器の外側と、前記蓋部の周縁部との間をその周縁部全周に亘って密着させる第２環状突部が、前記容器本体と前記蓋部のいずれか一方に備えられていることを特徴とする請求項１〜４のいずれか一項に記載の家庭用薄紙収納容器。
【請求項８】
前記第１環状突部と前記第２環状突部とは、前記蓋部の周縁部の溝部に前記容器本体の周縁部が嵌入した際に、前記容器本体を挟んで対向する位置が互いにずれていることを特徴とする請求項７に記載の家庭用薄紙収納容器。
【請求項９】
前記容器本体に対し前記蓋部が閉じられた際に、前記第１環状突部と前記第２環状突部が前記容器本体に対する配置は、当該容器の第２面部側より第１面部側の方が、前記容器本体の周縁部の端部からの距離が長い下方に位置することを特徴とする請求項５〜８のいずれか一項に記載の家庭用薄紙収納容器。
【発明の詳細な説明】
【技術分野】
【０００１】
本発明は、家庭用薄紙収納容器に関する。
【背景技術】
【０００２】
従来、家屋の床やトイレ、または人体などを拭くためのウェットシートやウェットティッシュなどの家庭用薄紙を収納する密閉容器がある。
その密閉容器における所定の係合部が指先などで押下されて、容器本体と蓋との係合が解除されることに伴い、その蓋がゴムやバネなどの弾性部材によって押し上げられて、家庭用薄紙を取り出すための開口部が現れる密閉容器が知られている（例えば、特許文献１参照。）。
【特許文献１】特開平１１−７９２１６号公報
【発明の開示】
【発明が解決しようとする課題】
【０００３】
しかしながら、上記特許文献１の場合、密閉容器の係合部を押下するワンタッチ操作で蓋を開けて、容器本体の開口部から家庭用薄紙を取り出すことが可能になるが、係合部を押下する力を作用させる際に容器本体が傾いてしまったり、倒れてしまったりするという問題があった。また、弾性部材によって押し上げられた蓋の反動でその密閉容器が動いてしまったり、倒れてしまったりするという問題があった。
【０００４】
本発明の目的は、ワンタッチ操作で容器の蓋を開ける際に、その容器の姿勢を安定させることができる家庭用薄紙収納容器を提供することである。
【課題を解決するための手段】
【０００５】
以上の課題を解決するため、請求項１に記載の発明は、
上部に開口部が設けられ、家庭用薄紙を内部に収納する容器本体と、
前記容器本体の第１面部側に回動可能に備えられ、前記開口部を開閉自在とする蓋部と、
前記容器本体と前記蓋部のいずれか一方に備えられ、前記容器本体と前記蓋部を離間させる方向に付勢する弾性部材と、を備える家庭用薄紙収納容器であって、
前記容器本体は前記第１面部と対向する第２面部側に、前記蓋部が有する係止部と係合する係合部を有し、
前記容器本体には、前記係止部と前記係合部の係合を解除するための係合解除部材と、挟持部とが備えられ、
前記係合解除部材と前記挟持部を挟持することによって、前記係合解除部材が前記係止部と前記係合部の係合を解除することを特徴とする。
【０００６】
請求項２に記載の発明は、請求項１に記載の家庭用薄紙収納容器において、
前記係合解除部材は、前記挟持部に揺動可能に備えられており、前記係合解除部材と前記挟持部を挟持した際に、前記係合解除部材が揺動することに伴い前記係止部と前記係合部を離間させて、前記係止部と前記係合部の係合を解除することを特徴とする。
【０００７】
請求項３に記載の発明は、請求項１又は２に記載の家庭用薄紙収納容器において、
前記容器本体と前記蓋部は、前記容器本体側の容器ヒンジ部と前記蓋部側の蓋ヒンジ部とが連結されてなるヒンジ機構部を介して回動可能に取り付けらており、
前記容器ヒンジ部と前記蓋ヒンジ部のいずれか一方は、前記蓋部が前記容器本体から離間する方向に回動する際に、他方に摺接して摩擦力を付与する摺接部を有することを特徴とする。
【０００８】
請求項４に記載の発明は、請求項３に記載の家庭用薄紙収納容器において、
前記容器ヒンジ部と前記蓋ヒンジ部のいずれか一方は、前記蓋部が前記容器本体から所定量回動した後に他方に接触して、前記蓋部の回動が止まるまで摺接することを特徴とする。
【０００９】
請求項５に記載の発明は、請求項１〜４のいずれか一項に記載の家庭用薄紙収納容器において、
前記容器本体の前記開口部の周縁部には、前記容器本体に対し前記蓋部が閉じられた際に、前記蓋部の周縁部が嵌入する溝部が形成されており、
前記容器本体の周縁部の溝部に、前記蓋部の周縁部が嵌入した際に、前記蓋部の周縁部における当該容器の内側と、前記容器本体の周縁部との間をその周縁部全周に亘って密着させる第１環状突部が、前記容器本体と前記蓋部のいずれか一方に備えられ、前記蓋部の周縁部における当該容器の外側と、前記容器本体の周縁部との間をその周縁部全周に亘って密着させる第２環状突部が、前記容器本体と前記蓋部のいずれか一方に備えられていることを特徴とする。
【００１０】
請求項６に記載の発明は、請求項５に記載の家庭用薄紙収納容器において、
前記第１環状突部と前記第２環状突部とは、前記容器本体の周縁部の溝部に前記蓋部の周縁部が嵌入した際に、前記蓋部を挟んで対向する位置が互いにずれていることを特徴とする。
【００１１】
請求項７に記載の発明は、請求項１〜４のいずれか一項に記載の家庭用薄紙収納容器において、
前記蓋部の周縁部には、前記容器本体に対し前記蓋部が閉じられた際に、前記容器本体の前記開口部の周縁部が嵌入する溝部が形成されており、
前記蓋部の周縁部の溝部に、前記容器本体の周縁部が嵌入した際に、前記容器本体の周縁部における当該容器の内側と、前記蓋部の周縁部との間をその周縁部全周に亘って密着させる第１環状突部が、前記容器本体と前記蓋部のいずれか一方に備えられ、前記容器本体の周縁部における当該容器の外側と、前記蓋部の周縁部との間をその周縁部全周に亘って密着させる第２環状突部が、前記容器本体と前記蓋部のいずれか一方に備えられていることを特徴とする。
【００１２】
請求項８に記載の発明は、請求項７に記載の家庭用薄紙収納容器において、
前記第１環状突部と前記第２環状突部とは、前記蓋部の周縁部の溝部に前記容器本体の周縁部が嵌入した際に、前記容器本体を挟んで対向する位置が互いにずれていることを特徴とする。
【００１３】
請求項９に記載の発明は、請求項５〜８のいずれか一項に記載の家庭用薄紙収納容器において、
前記容器本体に対し前記蓋部が閉じられた際に、前記第１環状突部と前記第２環状突部が前記容器本体に対する配置は、当該容器の第２面部側より第１面部側の方が、前記容器本体の周縁部の端部からの距離が長い下方に位置することを特徴とする。
【発明の効果】
【００１４】
請求項１に記載の発明によれば、容器本体の開口部を開閉自在とする蓋部を有する家庭用薄紙収納容器は、容器本体に、蓋部の係止部と容器本体の係合部の係合を解除するための係合解除部材と挟持部を備えており、その係合解除部材と挟持部を挟持することによって、係合解除部材が係止部と係合部の係合を解除することができる。
そして、係止部と係合部の係合が解除されると、弾性部材の付勢力によって、蓋部を容器本体から離間させる方向に回動させて、開口部を開くことができる。つまり、係合解除部材と挟持部を挟持するワンタッチ操作によって、係止部と係合部の係合を解除することにより、弾性部材の付勢力によって蓋部（開口部）を開くことができる。
従って、係止部と係合部の係合を解除するために、係合解除部材に必要な力を作用させる際に、その容器が傾いてしまったり、倒れてしまったりするようなトラブルを防ぐことができる。また、係止部と係合部の係合が解除されて、弾性部材の付勢力によって、蓋部が押し上げられて開く際に、挟持部や係合解除部材が使用者によって挟持されて保持されているので、押し上げられた蓋部の反動が大きい場合であっても、その容器が動いてしまったり、倒れてしまったりするようなトラブルを防ぐことができる。
よって、この家庭用薄紙収納容器は、ワンタッチ操作で容器の蓋部を開ける際に、その容器の姿勢を安定させることができる。
【００１５】
請求項２に記載の発明によれば、請求項１に記載の発明と同様の効果が得られることは無論のこと、係合解除部材は、挟持部に揺動可能に備えられている。そして、係合解除部材と挟持部を挟持した際に、係合解除部材が揺動することに伴い係止部と係合部を離間させて、係止部と係合部の係合を解除することができる。
従って、係合解除部材と挟持部を挟持するワンタッチ操作を行いやすく、好適に係止部と係合部の係合を解除することができる。
【００１６】
請求項３に記載の発明によれば、請求項１又は２に記載の発明と同様の効果が得られることは無論のこと、容器本体と蓋部は、容器本体側の容器ヒンジ部と蓋部側の蓋ヒンジ部とが連結されてなるヒンジ機構部を介して回動可能に取り付けられている。そして、容器ヒンジ部と蓋ヒンジ部のいずれか一方は、蓋部が容器本体から離間する方向に回動する際に、他方に摺接して摩擦力を付与する摺接部を有しているので、弾性部材の付勢力によって、蓋部が押し上げられて開く際に、摺接部が容器ヒンジ部または蓋ヒンジ部に摩擦力を付与し、蓋部が弾性部材によって押し上げられる勢いにブレーキを掛け、蓋部が回動する速度を調整することができる。
従って、押し上げられた蓋部の反動をより小さくすることができ、蓋部が開く際にその容器が動いてしまったり、倒れてしまったりするようなトラブルを防ぐことができる。
【００１７】
請求項４に記載の発明によれば、請求項３に記載の発明と同様の効果が得られることは無論のこと、容器ヒンジ部と蓋ヒンジ部のいずれか一方は、蓋部が容器本体から所定量回動した後に他方に接触して、蓋部の回動が止まるまで摺接することができる。
つまり、蓋部が開く直後には、容器ヒンジ部または蓋ヒンジ部に摺接部は接触せず、摩擦力を付与しないので、蓋部は、弾性部材の付勢力によって好適に押し上げられて開く。
そして、蓋部が所定角度回動した際に、容器ヒンジ部または蓋ヒンジ部と摺接部が接触し、摺動部が容器ヒンジ部または蓋ヒンジ部へ摩擦力の付与を開始する。そして、蓋部の回動が止まるまで、摺動部は容器ヒンジ部または蓋ヒンジ部に摺接し続けて摩擦力を付与することができるので、蓋部が弾性部材によって押し上げられる勢いにブレーキを掛け、蓋部が回動する速度を好適に調整することができる。
【００１８】
請求項５に記載の発明によれば、請求項１〜４のいずれか一項に記載の発明と同様の効果が得られることは無論のこと、家庭用薄紙収納容器において、容器本体の周縁部の溝部に、蓋部の周縁部が嵌入した際に、蓋部の周縁部における当該容器の内側と、容器本体の周縁部との間をその周縁部全周に亘って密着させる第１環状突部が、容器本体と蓋部のいずれか一方に備えられているので、家庭用薄紙収納容器の内部の気密性を保つことができる。また、容器本体の周縁部の溝部に、蓋部の周縁部が嵌入した際に、蓋部の周縁部における当該容器の外側と、容器本体の周縁部との間をその周縁部全周に亘って密着させる第２環状突部が、容器本体と蓋部のいずれか一方に備えられているので、家庭用薄紙収納容器の内部の気密性を保つことができる。
つまり、この家庭用薄紙収納容器は、蓋部の周縁部における当該容器の内側と外側において、第１環状突部と第２環状突部がそれぞれ家庭用薄紙収納容器の気密性を保つので、より好適に家庭用薄紙収納容器の気密性を保つことが可能になる。
【００１９】
請求項６に記載の発明によれば、請求項５に記載の発明と同様の効果が得られることは無論のこと、第１環状突部と第２環状突部とは、容器本体の周縁部の溝部に蓋部の周縁部が嵌入した際に、蓋部を挟んで対向する位置が互いにずれているので、第１環状突部と第２環状突部が、蓋部や容器本体の周縁部に当接する際に作用する力や歪を分散させることができるので、蓋部の周縁部を溝部に嵌入しやすい。
【００２０】
請求項７に記載の発明によれば、請求項１〜４のいずれか一項に記載の発明と同様の効果が得られることは無論のこと、家庭用薄紙収納容器において、蓋部の周縁部の溝部に、容器本体の周縁部が嵌入した際に、容器本体の周縁部における当該容器の内側と、蓋部の周縁部との間をその周縁部全周に亘って密着させる第１環状突部が、容器本体と蓋部のいずれか一方に備えられているので、家庭用薄紙収納容器の内部の気密性を保つことができる。また、蓋部の周縁部の溝部に、容器本体の周縁部が嵌入した際に、容器本体の周縁部における当該容器の外側と、蓋部の周縁部との間をその周縁部全周に亘って密着させる第２環状突部が、容器本体と蓋部のいずれか一方に備えられているので、家庭用薄紙収納容器の内部の気密性を保つことができる。
つまり、この家庭用薄紙収納容器は、容器本体の周縁部における当該容器の内側と外側において、第１環状突部と第２環状突部がそれぞれ家庭用薄紙収納容器の気密性を保つので、より好適に家庭用薄紙収納容器の気密性を保つことが可能になる。
【００２１】
請求項８に記載の発明によれば、請求項７に記載の発明と同様の効果が得られることは無論のこと、第１環状突部と第２環状突部とは、蓋部の周縁部の溝部に容器本体の周縁部が嵌入した際に、容器本体を挟んで対向する位置が互いにずれているので、第１環状突部と第２環状突部が、蓋部や容器本体の周縁部に当接する際に作用する力や歪を分散させることができるので、蓋部の周縁部を溝部に嵌入しやすい。
【００２２】
請求項９に記載の発明によれば、請求項５〜８のいずれか一項に記載の発明と同様の効果が得られることは無論のこと、家庭用薄紙収納容器において、容器本体に対し蓋部が閉じられた際に、第１環状突部と第２環状突部が容器本体に対する配置は、当該容器の第２面部側より第１面部側の方が、容器本体の周縁部の端部からの距離が長い下方に位置するので、蓋部を回動させて容器本体に対して閉じる際に、その閉じられる蓋部の周縁部と先に接触しやすい第１面部の周縁部と、僅かに後にずれたタイミングで接触する第２面部の周縁部において、蓋部の周縁部や容器本体の周縁部が第１環状突部と第２環状突部とに接触するタイミングをほぼ同じタイミングとすることができ、蓋部や容器本体の周縁部が、それぞれ他方の周縁部の溝部に入りやすくすることができる。
【発明を実施するための最良の形態】
【００２３】
以下、図面を参照して、本発明に係る家庭用薄紙収納容器の実施形態について詳細に説明する。
【００２４】
図１は家庭用薄紙収納容器１００が開けられた状態を示す前方斜視図であり、図２は家庭用薄紙収納容器１００が開けられた状態を示す後方斜視図である。また、図３は家庭用薄紙収納容器１００が閉じられた状態を示す前方斜視図であり、図４は家庭用薄紙収納容器１００が閉じられた状態を示す後方斜視図である。
図５（ａ）は、家庭用薄紙収納容器１００の容器本体１０から蓋部２０を取り外した分解斜視図であり、図５（ｂ）は、取り外された蓋部２０の裏側（内面側）を示す斜視図である。
図６は、図１のVI−VI線における断面図であり、内部に複数の家庭用薄紙Ｐが収納されている状態を示している。
【００２５】
家庭用薄紙収納容器１００は、図１から図６に示すように、上部に開口部１０ｃが設けられ、前後方向に積層された複数の家庭用薄紙Ｐを収納するための容器本体１０と、容器本体１０の第１面部としての後面部１０ａ側に回動可能に備えられ、開口部１０ｃを開閉自在とする蓋部２０と、蓋部２０に備えられ、容器本体１０と蓋部２０を離間させる方向に付勢する弾性部材であるねじりコイルばね３０と、を備えている。
【００２６】
そして、家庭用薄紙収納容器１００は、容器本体１０に対し蓋部２０が閉じられた状態で、内部にウェットシートやウェットティッシュなどの家庭用薄紙Ｐを収容する筐体状の容器である。
なお、容器本体１０と蓋部２０は、ＰＰ（ポリプロピレン）、ＡＢＳ（アクリロニトリル・ブタジエン・スチレン）、ＰＥ（ポリエチレン）、ＰＰとＰＥの混合体などの樹脂が、ブロー成形、射出成形（コールドランナー、ホットランナー）など一般的な製造方法によって成形される。
【００２７】
容器本体１０の後面部１０ａの開口部１０ｃ近傍には、容器ヒンジ部１１が形成されており、蓋部２０の後面側には、蓋ヒンジ部２１が形成されている。
この容器ヒンジ部１１の軸穴１１ａに蓋ヒンジ部２１の軸突起２１ａを係入して、容器ヒンジ部１１と蓋ヒンジ部２１とを取り付けることによって、容器ヒンジ部１１と蓋ヒンジ部２１とが連結されてなるヒンジ機構部３３が構成される。そして、このヒンジ機構部３３を介して、蓋部２０が容器本体１０に対して回動可能に配設されている。
【００２８】
また、蓋ヒンジ部２１には筒部２２が備えられており、その筒部２２の内側にねじりコイルばね３０が装着されている。このねじりコイルばね３０が蓋部２０を容器本体１０から離間させる方向に付勢することで、蓋部２０がヒンジ機構部３３を軸心に回動するように押し上げられて開口部１０ｃが開くようになっている。
【００２９】
容器本体１０の第２面部としての前面部１０ｂの開口部１０ｃ近傍には、係合部１３（図７参照）が形成されており、蓋部２０の前面側には、係止部２３が形成されている。
そして、蓋部２０の前面側が容器本体１０の前面部１０ｂに接触された際に、係合部１３が係止部２３と係合することにより、蓋部２０が容器本体１０側に保持されるように、開口部１０ｃを閉じるようになっている。
【００３０】
また、容器本体１０の前面部１０ｂの外面側であって開口部１０ｃ近傍には、前方に突出する挟持部１２が備えられており、挟持部１２には、係合解除部材１４がその配置を変更可能に軸支されて配設されている。
挟持部１２は、前面部１０ｂの外面から前方に略水平方向に延出するとともに、その先端部側が下方に略垂直方向に屈曲した後、再度前方略水平方向に屈曲する形状を有している（図７参照）。そのため、挟持部１２の下面側には凹部（くびれ部分）１２ａが形成されることとなり、係合解除部材１４と挟持部１２を挟持する際に、指が挟持部１２の凹部（くびれ部分）１２ａに引っ掛かりやすくなるので、より確実に容器本体１０を固定するように保持することが可能になる。
そして、図７（ａ）、図７（ｂ）に示すように、係合解除部材１４と挟持部１２を挟持すると、係合解除部材１４の一端部１４ａが挟持部１２に近接する方向に揺動する。このように係合解除部材１４を揺動させるようにその配置を変更させると、係合解除部材１４の他端部１４ｂが蓋部２０の押上突起２４を押し上げて、係止部２３と係合部１３の係合が解除されるようになっている。
つまり、係合解除部材１４と挟持部１２を挟持し、係合解除部材１４を揺動させることにより、係止部２３と係合部１３の係合を解除すると、ねじりコイルばね３０の付勢力によって、蓋部２０が押し上げられて開くようになっている。
【００３１】
このように、家庭用薄紙収納容器１００の蓋部２０を開ける場合には、係合解除部材１４を揺動させるように、係合解除部材１４と挟持部１２を挟持すればよい。
そして、係止部２３と係合部１３の係合を解除するために、係合解除部材１４の一端部１４ａを挟持部１２に近接させるように押し下げる勢い（力）が強い場合であっても、挟持部１２や係合解除部材１４が使用者によって挟持されて保持されているので、その容器が動いてしまったり、倒れてしまったりするようなトラブルを防ぐことができる。
また、係止部２３と係合部１３の係合が解除されて、ねじりコイルばね３０の付勢力によって、蓋部２０が押し上げられて開く際に、挟持部１２や係合解除部材１４が使用者によって挟持されて保持されているので、押し上げられた蓋部２０の反動が大きい場合であっても、その容器が動いてしまったり、倒れてしまったりするようなトラブルを防ぐことができる。
【００３２】
また、図６に示すように、容器本体１０の底部１０ｄは、容器本体１０の前面部１０ｂ側から後面部１０ａ側に向かって下方に傾斜しており、その底部１０ｄには、左右方向に延在する複数の突部１０ｅが形成されている。
底部１０ｄの傾斜角度は、１０°〜２０°程度が好ましい。
また、突部１０ｅは、１〜４ｍｍ程度の高さを有する突状体であり、前後方向に５〜１５ｍｍの間隔で形成されている。
また、容器本体１０は、その前面部１０ｂ側の高さが後面部１０ａ側の高さより低く形成されている。
【００３３】
このように、容器本体１０の底部１０ｄが、容器本体１０の前面部１０ｂ側から後面部１０ａ側に向かって下方に傾斜しているため、容器本体１０に収納した家庭用薄紙Ｐの束が後面部１０ａに寄り掛かるように斜めに収容しやすくなる。
家庭用薄紙Ｐの束が後面部１０ａに寄り掛かるように斜めに収容されると、複数の家庭用薄紙Ｐにおいて隣接する家庭用薄紙Ｐの上端部の高さ位置がそれぞれ異なるように収納されるので、それぞれの家庭用薄紙Ｐの端部を視認しやすく、掴みやすい。
また、家庭用薄紙Ｐの束が後面部１０ａに寄り掛かるように斜めに収容されていると、蓋部２０が上方に開口した際に、容器内の前面側に空間が形成されるので、容器内に手や指を入れやすく、家庭用薄紙Ｐを取り出しやすい。特に、容器本体１０における前面部１０ｂ側の高さが後面部１０ａ側の高さより低く形成されているので、容器本体１０と蓋部２０の間をより広くすることができ、家庭用薄紙Ｐがより取り出しやすくなる。
また、容器本体１０内で家庭用薄紙Ｐの束が前面部１０ｂ側に前傾し寄り掛かってしまうと、蓋部２０を閉める際に、容器本体１０と蓋部２０の間に家庭用薄紙Ｐが挟まってしまい、蓋部２０が閉めにくいトラブルが発生することがあるが、本発明の家庭用薄紙収納容器１００においては、家庭用薄紙Ｐは後傾しているのでそのようなトラブルを防ぐことができる。
また、底部１０ｄに形成されている複数の突部１０ｅに、容器本体１０に収納した家庭用薄紙Ｐの下端部が当接し引っ掛かることによって、家庭用薄紙Ｐが底部１０ｄの傾斜に沿ってずれ難くなるので、容器本体１０内に収納される家庭用薄紙Ｐの姿勢をより安定させることができる。
【００３４】
また、図６から図８に示すように、容器本体１０の開口部１０ｃの周縁部４には、容器本体１０に対し蓋部２０が閉じられた際に、蓋部２０の周縁部３が嵌入する溝部５が形成されている。
そして、容器本体１０の周縁部４の溝部５に、蓋部２０の周縁部３が嵌入した際に、蓋部２０の周縁部３における当該容器の内側と、容器本体１０の周縁部４との間をその周縁部全周に亘って密着させる第１環状突部１が、容器本体１０の溝部５の内面に形成されている。また、蓋部２０の周縁部３における当該容器の外側と、容器本体１０の周縁部４との間をその周縁部全周に亘って密着させる第２環状突部２が、容器本体１０の溝部５の内面に形成されている。
第１環状突部１の高さは０．５ｍｍに形成され、第２環状突部２の高さは０．７ｍｍに形成されており、それぞれ異なる高さを有している。なお、第１環状突部１と第２環状突部２の高さは同じであってもよい。
また、図８、図９に示すように、溝部５において第２環状突部２が形成されている面には、上下方向に延在し、蓋部２０の周縁部３を溝部５内に案内する複数の部分リブ６が、所定間隔をあけて形成されている。
このように、容器本体１０の開口部１０ｃを閉めるように蓋部２０で蓋をし、蓋部２０の周縁部３が溝部５に嵌入した際に、周縁部３における当該容器の内側で第１環状突部１が容器本体１０と蓋部２０の間を密封し、周縁部３における当該容器の外側で第２環状突部２が容器本体１０と蓋部２０の間を密封することができるので、家庭用薄紙収納容器１００の密閉性を向上させることができる。
【００３５】
また、第１環状突部１と第２環状突部２とは、容器本体１０の周縁部４の溝部５に蓋部２０の周縁部３が嵌入した際に、その蓋部２０を挟んで対向する位置が互いにずれており、第１環状突部１の方が第２環状突部２より開口部１０ｃの端部側（図中、上側）に位置している。そのずれ量は、０．５ｍｍ〜１ｍｍ程度である。
このように、第１環状突部１と第２環状突部２とが蓋部２０を挟んで対向する位置が互いにずれていることによって、蓋部２０の周縁部３に第１環状突部１と第２環状突部２が当接する際に作用する力や歪を分散させることができるので、蓋部２０の周縁部３を溝部５に嵌入しやすい。
【００３６】
また、図９に示すように、第１環状突部１と第２環状突部２の容器本体１０における配置は、当該容器の前面部１０ｂ側より後面部１０ａ側の方が、容器本体１０の周縁部４の端部からの距離が長い下方に位置している。なお、第１環状突部１と第２環状突部２とは、当該容器の前面部１０ｂ側より後面部１０ａ側の方が、容器本体１０の周縁部４の端部から０．４〜０．８ｍｍ程度下側に形成されている。
このように、容器本体１０に対する第１環状突部１と第２環状突部２の配置が、この容器の前面部１０ｂ側と後面部１０ａ側とでずれていることにより、ヒンジ機構部３３の回動に伴って容器本体１０に対し蓋部２０が閉じられる際に、その閉じられる蓋部２０の周縁部３と先に接触しやすい後面部１０ａの周縁部４と、僅かに後にずれたタイミングで接触する前面部１０ｂの周縁部４において、蓋部２０の周縁部３が第１環状突部１と第２環状突部２とに接触するタイミングをほぼ同じタイミングとすることができ、蓋部２０の周縁部３が溝部５に入りやすくなっている。
【００３７】
また、図５、図１０に示すように、蓋ヒンジ部２１に備えられている筒部２２は、蓋部２０（蓋ヒンジ部２１）と一体成形されているので、図１７に示す、従来の容器の蓋部２００の蓋ヒンジ部２１０より、コンパクトなサイズとすることができる。
具体的には、図１７（ａ）、（ｂ）に示すように、従来の容器の蓋部２００は、蓋ヒンジ部２１０に形成されている帯状の筒部用部材２２０ａをねじりコイルばね３０側に折り返し、その筒部用部材２２０ａの先端部側を超音波シール等によって接着し固定するため、その糊代部分が必要となるので筒部２２０が比較的大きくなり、蓋ヒンジ部２１０も比較的大きなサイズとなってしまう。また、筒部２２０を形成するための工程数も多く煩雑な作業が必要であった。また、筒部用部材２２０ａを折り返すと、その折り返し部分に折り返し歪がかかり、また、糊代部分にも接着による歪などがかかることにより、蓋部２００や筒部２２０にゆがみなどが生じてしまうことがあった。
それに比べて、本発明の家庭用薄紙収納容器１００の蓋部２０の筒部２２は、蓋部２０（蓋ヒンジ部２１）と一体成形されるので歪やゆがみ等の変形が生じ難く、また、その成形された筒部２２にねじりコイルばね３０を通して装着することができるので、その組み付け工数を削減することができる。
特に、糊代部分が不要となるため、蓋ヒンジ部２１を比較的小さなサイズとすることができる。蓋部２０の蓋ヒンジ部２１をより小さなサイズとすることができれば、ヒンジ機構部３３の回動範囲が広がり、蓋部２０と開口部１０ｃとの間をより広く開けることが可能になり、家庭用薄紙Ｐを取り出しやすくなる。
【００３８】
また、図５、図１１に示すように、容器本体１０の容器ヒンジ部１１には、蓋部２０が容器本体１０から離間する方向に回動する際に、蓋部２０（蓋ヒンジ部２１）に接して摩擦力を付与する摺接部１５が形成されている。
特に、蓋部２０が容器本体１０から開く際に（図１１（ａ）参照）、蓋部２０が容器本体１０から所定量（所定角度）回動した後に、蓋部２０の蓋ヒンジ部２１が容器本体１０の容器ヒンジ部１１の摺接部１５に接触して（図１１（ｂ）参照）、蓋部２０の回動が止まるまで摺接部１５に摺接するように（図１１（ｃ）参照）、摺接部１５は配設されている。
このように、蓋部２０が開く直後には、蓋ヒンジ部２１（蓋部２０）に摺接部１５は接触せず、摩擦力を付与しないので、蓋部２０は、ねじりコイルばね３０の付勢力によって好適に押し上げられて開く。そして、蓋部２０が所定角度分回動した際（例えば、蓋部２０の開口角度が６０°に開くまで回動した際）に、蓋ヒンジ部２１（蓋部２０）と摺接部１５が接触し、摺動部１５が蓋ヒンジ部２１（蓋部２０）へ摩擦力の付与を開始する。そして、例えば、蓋部２０の開口角度が７０°となり、蓋部２０の回動が止まるまで、摺動部１５は蓋ヒンジ部２１（蓋部２０）に摺接し続け、摺接部１５は蓋ヒンジ部２１（蓋部２０）に摩擦力を付与し、蓋部２０がねじりコイルばね３０によって押し上げられる勢いにブレーキを掛け、蓋部２０が回動する速度を調整することができる。
【００３９】
このように、本発明に係る家庭用薄紙収納容器１００は、係合解除部材１４と挟持部１２を挟持するワンタッチ操作によって、係止部２３と係合部１３の係合を解除することにより、ねじりコイルばね３０の付勢力によって蓋部２０を開くことができる。
そして、蓋部２０がねじりコイルばね３０の付勢力によって押し上げられた際に、その付勢力の反動が大きい場合でも、挟持部１２や係合解除部材１４が使用者によって挟持されて保持されているので、その家庭用薄紙収納容器１００が動いてしまったり、倒れてしまったりするようなトラブルを防ぎ、容器の姿勢を安定させることができる。
特に、容器本体１０の摺接部１５が蓋ヒンジ部２１（蓋部２０）に摺接することによって、摩擦力を付与し、蓋部２０がねじりコイルばね３０によって押し上げられる勢いにブレーキを掛け、蓋部２０が回動する速度を調整することができるので、家庭用薄紙収納容器１００の姿勢をより安定させることができる。
よって、家庭用薄紙収納容器１００は、ワンタッチ操作で容器の蓋部を開ける際に、その容器の姿勢を安定させることができる。
【００４０】
また、家庭用薄紙収納容器１００は、容器本体１０の底部１０ｄに、容器の前面部１０ｂ側から後面部１０ａ側に下る傾斜を付けることにより、内部に収納する家庭用薄紙Ｐの束を後面部１０ａに寄り掛かるように収容することが可能になる。家庭用薄紙Ｐの束が後面部１０ａに寄り掛かるように斜めに収容されると、複数の家庭用薄紙Ｐにおいて隣接する家庭用薄紙Ｐの上端部の高さ位置がそれぞれ異なるように収納されるので、それぞれの家庭用薄紙Ｐの端部を視認しやすく、掴みやすくなるので、容器から取り出しやすくなる。
よって、家庭用薄紙収納容器１００は、家庭用薄紙Ｐを取り出しやすく収納することができる。
【００４１】
なお、本発明は上記実施形態に限られるものではない。
【００４２】
例えば、図１２に示すように、容器本体１０に収納した家庭用薄紙Ｐの下端部が底部１０ｄの傾斜に沿ってずれるようなことがない場合や、ある程度ずれても問題のない場合には、容器本体１０の傾斜する底部１０ｄに突部１０ｅを設けなくてもよい。
【００４３】
また、図１３に示すように、容器本体１０の前面部１０ｂの上部側の内面において、後面部１０ａ側に向かって突出する突出部１６を形成するようにしてもよい。このような突出部１６によって、容器本体１０に収納した家庭用薄紙Ｐの上端部を後面部１０ａ側に後傾させ、容器本体１０に収納した家庭用薄紙Ｐの束が後面部１０ａに寄り掛かるように収容しやすくなる。
なお、本実施形態における突出部１６は、底部１０ｄ側から開口部１０ｃ側に向かって、前後方向に拡幅する形状を有する突出部１６を例に挙げ説明しているが、突出部１６は、少なくとも容器本体１０の前面部１０ｂの内面の上部側に備えられていればよい。
【００４４】
また、図１４に示すように、容器本体１０の前面部１０ｂ側の高さが後面部１０ａ側の高さより高くてもよい。
【００４５】
また、図１５に示すように、容器本体１０の底部１０ｆが傾斜のない形状であってもよい。そのような場合、家庭用薄紙収納容器１００（容器本体１０）に収納される複数の家庭用薄紙Ｐが、それぞれの上下方向の幅が異なる家庭用薄紙Ｐが積層されているものであれば、隣接する家庭用薄紙Ｐの端部の高さ位置がそれぞれ異なるように収納することができる。
【００４６】
また、図１６（ａ）に示すように、第１環状突部１を蓋部２０の周縁部３側に形成するようにしてもよい。
【００４７】
また、図１６（ｂ）に示すように、容器本体１０に対し蓋部２０が閉じられた際に、容器本体１０の開口部１０ｃの周縁部４ａが嵌入する溝部５ａが、蓋部２０の周縁部３ａに形成されている場合、容器本体１０の周縁部４ａにおける当該容器の内側と、蓋部２０の周縁部３ａとの間をその周縁部全周に亘って密着させる第１環状突部１ａが、蓋部２０の溝部５ａの内面に形成され、また、容器本体１０の周縁部４ａにおける当該容器の外側と、蓋部２０の周縁部３ａとの間をその周縁部全周に亘って密着させる第２環状突部２ａが、蓋部２０の溝部５ａの内面に形成されていてもよい。
また、図１６（ｃ）に示すように、第１環状突部１ａを容器本体１０の周縁部４ａ側に形成するようにしてもよい。
【００４８】
なお、以上の実施の形態においては、挟持部や係合解除部材を容器本体側に備える構成を例に挙げて説明したが、本発明はこれに限定されるものではなく、挟持部や係合解除部材を蓋部側に備えるようにしてもよい。
【００４９】
また、以上の実施の形態においては、挟持部と係合解除部材を上下方向に摘むように挟持して、係止部と係合部の係合を解除するようにしたが、本発明はこれに限定されるものではなく、挟持部と係合解除部材を左右方向に摘むように挟持して、係合を解除するようにしてもよい。
【００５０】
また、以上の実施の形態においては、第１環状突部と第２環状突部は容器本体や蓋部に一体成形されているものとして説明したが、本発明はこれに限定されるものではなく、例えば、天然ゴム、合成ゴム、シリコンゴムなどの軟質材からなる環状突部（例えば、パッキン）を後加工により容器本体や蓋部に取り付けたり、軟質材からなる環状突部を二色成形により容器本体や蓋部に配設したりするようにしてもよい。
【００５１】
また、以上の実施の形態においては、摺接部１５は、容器本体１０に一体成形されているものとして説明したが、本発明はこれに限定されるものではなく、摩擦係数が大きい素材からなる部材を摺接部として配設してもよく、摺接部１５の一部に摩擦係数が大きい素材からなる部材を配設してもよい。また、摺接部１５が蓋部２０（蓋ヒンジ部２１）に摺接する部分の摩擦係数を大きくするように、その摺接面がザラザラする表面加工を施すようにしてもよい。
また、摺接部を蓋部側に備えるようにしてもよい。
【００５２】
また、その他、具体的な細部構造等についても適宜に変更可能であることは勿論である。
【図面の簡単な説明】
【００５３】
【図１】本発明に係る家庭用薄紙収納容器の蓋部が開けられた状態を示す斜視図である。
【図２】本発明に係る家庭用薄紙収納容器の蓋部が開けられた状態を示す斜視図である。
【図３】本発明に係る家庭用薄紙収納容器の蓋部が閉められた状態を示す斜視図である。
【図４】本発明に係る家庭用薄紙収納容器の蓋部が閉められた状態を示す斜視図である。
【図５】家庭用薄紙収納容器の容器本体から蓋部を取り外した状態を示す分解斜視図（ａ）と、取り外された蓋部の裏側を示す斜視図（ｂ）である。
【図６】図１のVI−VI線における断面図であり、容器内部に複数の家庭用薄紙が収納されている状態を示している。
【図７】係止部と係合部が係合している状態を示す説明図（ａ）と、係止部と係合部の係合が解除された状態を示す説明図（ｂ）である。
【図８】容器本体の溝部に蓋部の周縁部が嵌入した状態を示す説明図である。
【図９】容器本体の溝部に形成された第１環状突部と第２環状突部を配置を示す説明図である。
【図１０】蓋部の裏側（内面側）を示す斜視図である。
【図１１】摺接部と蓋ヒンジ部との配置を示す説明図であり、蓋部が閉じられた状態（ａ）と、蓋部が開けられ蓋ヒンジ部が摺接部に接触した状態（ｂ）と、蓋ヒンジ部が摺接部に接触して蓋部の回動が止まった状態（ｃ）である。
【図１２】家庭用薄紙収納容器の変形例を示す断面図である。
【図１３】家庭用薄紙収納容器の変形例を示す断面図である。
【図１４】家庭用薄紙収納容器の変形例を示す断面図である。
【図１５】家庭用薄紙収納容器の変形例を示す断面図である。
【図１６】第１環状突部や第２環状突部の配置に関する変形例を示す断面図であり、第１環状突部が蓋部、第２環状突部が容器本体に形成された場合（ａ）、第１環状突部と第２環状突部が蓋部に形成された場合（ｂ）、第１環状突部が容器本体、第２環状突部が蓋部に形成された場合（ｃ）である。
【図１７】従来の蓋ヒンジ部に関する説明図であり、筒部用部材がコイルばね側に折り返される前の状態（ａ）と、筒部用部材が折り返されて筒部が形成された状態（ｂ）である。
【符号の説明】
【００５４】
１、１ａ  第１環状突部
２、２ａ  第２環状突部
３、３ａ  周縁部（蓋部の周縁部）
４、４ａ  周縁部（容器本体の周縁部）
５、５ａ  溝部
１０    容器本体
１０ａ  後面部（第１面部）
１０ｂ  前面部（第２面部）
１０ｃ  開口部
１０ｄ、１０ｆ  底部
１０ｅ  突部
１１    容器ヒンジ部
１１ａ  軸穴
１２    挟持部
１２ａ  凹部
１３    係合部
１４    係合解除部材
１４ａ  一端部
１４ｂ  他端部
１５    摺接部
１６    突出部
２０    蓋部
２１    蓋ヒンジ部
２１ａ  軸突起
２２    筒部
２３    係止部
２４    押上突起
３０    ねじりコイルばね（弾性部材）
３３    ヒンジ機構部
１００、１００ａ、１００ｂ、１００ｃ、１００ｄ  家庭用薄紙収納容器
【図１】
0004825491.tif 000002
【図２】
0004825491.tif 000003
【図３】
0004825491.tif 000004
【図４】
0004825491.tif 000005
【図５】
0004825491.tif 000006
【図６】
0004825491.tif 000007
【図７】
0004825491.tif 000008
【図８】
0004825491.tif 000009
【図９】
0004825491.tif 000010
【図１０】
0004825491.tif 000011
【図１１】
0004825491.tif 000012
【図１２】
0004825491.tif 000013
【図１３】
0004825491.tif 000014
【図１４】
0004825491.tif 000015
【図１５】
0004825491.tif 000016
【図１６】
0004825491.tif 000017
【図１７】
0004825491.tif 000018